(57)【要約】【課題】軽量性、高強度性等の優れた特質を維持しつつ、優れた保温効果と効果的な温感効果とを享受できる浴槽を提供する。【解決手段】浴槽５は、ＦＲＰ製の基部２１を有している。この浴槽５では、基部２１の表面には無数の気孔１６ｂ、１６ｃを有して構成された断熱部２２が一体に設けられ、断熱部２２の表面には薄い部分の厚みが０．１５ｍｍ未満の保護層２３が一体に設けられている。【選択図】図３
2005224270.tif 000002
【特許請求の範囲】
【請求項１】
繊維強化プラスチック製の基部を有する浴槽において、
前記基部の表面には無数の気孔を有して構成された断熱部が一体に設けられ、該断熱部の表面には薄い部分の厚みが０．１５ｍｍ未満の保護層が一体に設けられていることを特徴とする浴槽。
【請求項２】
前記保護層はスプレー塗布によって形成されていることを特徴とする請求項１記載の浴槽。
【請求項３】
前記断熱部は強化用繊維を含むことを特徴とする請求項１又は２記載の浴槽。
【請求項４】
少なくとも移乗部に前記断熱部及び前記保護層が設けられていることを特徴とする請求項１乃至３のいずれか１項記載の浴槽。
【請求項５】
少なくとも底面に前記断熱部及び前記保護層が設けられていることを特徴とする請求項１乃至４のいずれか１項記載の浴槽。
【請求項６】
少なくとも肘掛に前記断熱部及び前記保護層が設けられていることを特徴とする請求項１乃至５のいずれか１項記載の浴槽。
【請求項７】
少なくともステップに前記断熱部及び前記保護層が設けられていることを特徴とする請求項１乃至６のいずれか１項記載の浴槽。
【請求項８】
少なくとも貯水部に前記断熱部及び前記保護層が設けられていることを特徴とする請求項１乃至７のいずれか１項記載の浴槽。
【請求項９】
少なくとも枕部に前記断熱部及び前記保護層が設けられていることを特徴とする請求項１乃至８のいずれか１項記載の浴槽。
【請求項１０】
少なくとも背もたれ部に前記断熱部及び前記保護層が設けられていることを特徴とする請求項１乃至９のいずれか１項記載の浴槽。
【発明の詳細な説明】
【技術分野】
【０００１】
本発明は浴槽に関する。
【背景技術】
【０００２】
従来、繊維強化プラスチック（ＦＲＰ）製の浴槽が知られている（非特許文献１）。この浴槽は、ＦＲＰ製であることから、軽量性、高強度性等の優れた特質を発揮する。
【０００３】
他方、特許文献１には、ＦＲＰ製の基部と、この基部の表面に一体に設けられ、シラスバルーンを有して構成された保温層と、この保温層の表面に一体に設けられたゲルコート層とからなるＦＲＰ製品が開示されている。このＦＲＰ製品はシラスバルーンが内部に気孔を有し、各気孔が熱の移動を阻害するため、保温効果を発揮すると考えられる。
【０００４】
【非特許文献１】（株）ＩＮＡＸ「住宅設備機器／総合カタログ」（２００３−２００４、２００３年３月発行）第５５７〜６１１頁
【特許文献１】特開２０００−１６７９４０号公報
【発明の開示】
【発明が解決しようとする課題】
【０００５】
しかし、従来の浴槽に対し、より高い保温効果が望まれている。また、冬場にそれが日陰にあり、人がその表面に触れた場合には冷たさを感じやすいという不具合もある。
【０００６】
他方、上記特許文献１開示のＦＲＰ製品は、ハンドレイアップ（ＨＬＵ）法やスプレーアップ（ＳＰＵ）法で製造されるものであることから、ゲルコート層が必須になっており、しかもそのゲルコート層が０．２〜０．５ｍｍの厚みを有している。このため、このＦＲＰ製品は、保温効果は発揮できても、表面で温感効果を十分に発揮することができない。
【０００７】
本発明は、上記従来の実情に鑑みてなされたものであって、軽量性、高強度性等の優れた特質を維持しつつ、優れた保温効果と効果的な温感効果とを享受できる浴槽を提供することを解決すべき課題としている。
【課題を解決するための手段】
【０００８】
本発明の浴槽は、繊維強化プラスチック製の基部を有する浴槽において、
前記基部の表面には無数の気孔を有して構成された断熱部が一体に設けられ、該断熱部の表面には薄い部分の厚みが０．１５ｍｍ未満の保護層が一体に設けられていることを特徴とする。
【０００９】
発明者らの知見によれば、体感される温感効果は、温感部材の熱伝導率よりもむしろその熱流束（単位時間・単位面積当たりの熱の移動量）と相関関係がある。例えば、医療分野においては、人の感覚は熱流束によって評価されている。
【００１０】
この浴槽は、湯を溜める表面の断熱部が無数の気孔を有しており、各気孔が熱の移動を阻害する。このため、この浴槽は優れた保温効果を発揮する。
【００１１】
また、この浴槽は、人が尻等で保護層を介して触れる表面の断熱部が無数の気孔を有しており、各気孔がこの際の熱の移動も阻害する。この際、保護層は薄い部分の厚みが０．１５ｍｍ未満であるため、熱流束が小さく、効果的な温感効果を発揮する。このため、この浴槽は、冬場において人が表面に触れた場合に冷たさをより感じにくく、効果的な温感効果を発揮する。
【００１２】
また、この浴槽はそれらの際に電気やガス等のエネルギーを消費することはないため、ランニングコストも生じない。
【００１３】
したがって、この浴槽は、軽量性、高強度性等の優れた特質を維持しつつ、優れた保温効果と効果的な温感効果とを享受できる。
【００１４】
基部は一般的な繊維強化プラスチック（ＦＲＰ）製のものである。
【００１５】
断熱部は、基部の表面に一体に設けられ、無数の気孔を有して構成されている。断熱部は強化用繊維を含むことが好ましい。これにより浴槽の強度をより高くすることができる。そして、プレス成形によって浴槽を製造するのであれば、保護層の有無にかかわらず、強化用繊維によって浴槽の表面性状が損なわれることはない。
【００１６】
気孔内は、空気等の気体が充満していてもよく、真空であってもよい。気孔内に空気が存在していることが好ましい。気孔内に空気が存在している断熱部は製造が容易であり、製造コストの低廉化を実現できる。
【００１７】
また、気孔は独立気孔であることが好ましい。独立気孔は、表面に閉口して内部が閉じ込められていることから、大きな温感効果が得られやすい。独立気孔の密度が高い程、温感効果が高くなる。
【００１８】
断熱部の気孔は、無数の気孔体の内部のものを含み得る。気孔体とは、内部に気孔をもつ粒子又は繊維をいう。気孔体の内部の気孔によって断熱部の気孔を確保すれば、断熱部中の気孔体の量によって気孔量を確実に確保することができることから、浴槽の保温効果及び温感効果が安定する。
【００１９】
また、断熱部の気孔は、各気孔体間のものを含み得る。各気孔体が互いの間に気孔を有しておれば、断熱部の気孔率が上がり、浴槽はより優れた温感効果を奏することができる。
【００２０】
気孔体としては、中空粒子、中空繊維及び多孔質粒子の少なくとも１種を採用することができる。すなわち、中空粒子のみを採用する場合と、中空繊維のみを採用する場合と、多孔質粒子のみを採用する場合と、中空粒子及び中空繊維を採用する場合と、中空繊維及び多孔質粒子を採用する場合と、中空粒子及び多孔質粒子を採用する場合と、中空粒子、中空繊維及び多孔質粒子を採用する場合とがある。
【００２１】
中空粒子とは、非吸水性の球状又は略球状の殻内に密閉された中空部をもつ粒子である。中空粒子の中空部によって断熱部の気孔を確保すれば、その気孔は独立気孔となる。中空部内は、空気等の気体が充満していてもよく、真空であってもよい。無機系の中空粒子であってもよく、有機系の中空粒子であってもよい。無機系の中空粒子としては、平均粒径が数１０μｍ程度のガラスバルーン、シリカバルーン、石英ガラスバルーン、フライアッシュ、シラスバルーン、アルミナバルーン等を採用することができる。有機系の中空粒子としては、平均粒径が数１０μｍ程度のウレタンバルーン、フェノールバルーン、ポリアミドバルーン等を採用することができる。
【００２２】
中空繊維とは、非吸水性の筒状の殻内に両端が開放された中空部をもつ繊維である。中空繊維の中空部によって断熱部の気孔を確保しても、その気孔は個々には連続せず、やはり独立気孔となる。中空部内は、空気等の気体が充満していてもよく、真空であってもよい。無機系の中空繊維であってもよく、有機系の中空繊維であってもよい。無機系の中空繊維としては、直径が数１０μｍ程度の中空ガラス繊維、中空シリカ繊維、中空石英ガラス繊維等を採用することができる。有機系の中空繊維としては、直径が数１０μｍ程度の中空ポリエステル繊維、中空アクリル繊維等を採用することができる。
【００２３】
多孔質粒子とは、それ自体が多孔質の材料で構成された粒子である。多孔質によって形成される気孔は、密閉されたものであってもよく、開放されたものであってもよい。無機系の多孔質粒子であってもよく、有機系の多孔質粒子であってもよい。無機系の多孔質粒子としては、微細に発泡したセラミックスの粉砕物、珪藻土、シリカゲル、軽石粉等を採用することができる。有機系の多孔質粒子としては、微細に発泡した樹脂の粉砕物等を採用することができる。
【００２４】
本発明の浴槽では、断熱部の表面に保護層が一体に設けられている。断熱部の気孔が表面に開いているとそこに汚れが蓄積するおそれがあるが、保護層はその気孔が表面に開くことを防止する。特に、断熱部の無数の気孔を気孔体によって形成している場合にこの効果が大きい。内部に気孔をもつ気孔体を用いている場合、断熱部から露出している気孔体は使用によって割れてしまうこともあり、保護層がその割れを防止することができる。気孔体を含む断熱用塗料を基部の表面に塗布した場合、気孔体が凸状に表面に突出しやすいことから、特にこの効果が顕著である。また、保護層は汚れが浴槽の表面に付着することを防止することも可能である。
【００２５】
保護層は薄い部分の厚みが０．１５ｍｍ未満である。保護層は薄い部分の厚みが０．１５ｍｍを超えると、熱流束が大きく、効果的な温感効果を発揮できない。保護層は薄い部分の厚みが０．１ｍｍ未満であることがより好ましい。
【００２６】
保護層としては、アクリルウレタン、アクリル、ウレタン、エポキシ等の合成樹脂を採用することができる。断熱部の表面に保護層を一体に設けるためには、基部及び断熱部を成形後、成形体に保護層用の塗料をスプレー等によって塗布する手段、基部及び断熱部とともに保護層用のシートを成形する手段等を採用することができる。保護層は、スプレー塗布によって形成されることにより薄く形成され、好ましいものとなる。保護層用のシートとしては、不織布にアクリルウレタン等の未硬化樹脂を含浸させたものを採用することができる。
【００２７】
本発明の浴槽は、少なくとも移乗部に断熱部及び保護層が設けられていることが好ましい。これによって、人は温感効果を享受しながら移乗部に腰掛け、浴槽内に入ることができる。移乗部に断熱部及び保護層を設け、他の部位に断熱部を設けないとすれば、コストダウンも実現することができる。
【００２８】
また、本発明の浴槽は、少なくとも底面に断熱部及び保護層が設けられていることが好ましい。これによって、例えば、浴槽に湯を張らずに泡のみを充満して入浴する場合や、浴槽内でシャワーを浴びる場合等、人は温感効果を享受しながら浴槽に入ることができる。また、湯を抜いた後、人が浴槽内に入って浴槽を清掃する際、人は温感効果を享受することができる。さらに、保温効果も高まる。底面に断熱部及び保護層を設け、他の部位に断熱部を設けないとすれば、コストダウンも実現することができる。
【００２９】
さらに、本発明の浴槽は、少なくとも肘掛に断熱部及び保護層が設けられていることが好ましい。これによって、人は温感効果を享受しながら肘掛に肘を掛けることができる。肘掛に断熱部及び保護層を設け、他の部位に断熱部を設けないとすれば、コストダウンも実現することができる。
【００３０】
また、本発明の浴槽は、少なくともステップに断熱部及び保護層が設けられていることが好ましい。これによって、人は温感効果を享受しながらステップに足を乗せることができる。ステップに断熱部及び保護層を設け、他の部位に断熱部を設けないとすれば、コストダウンも実現することができる。
【００３１】
さらに、本発明の浴槽は、少なくとも貯水部に断熱部及び保護層が設けられていることが好ましい。これによって、保温効果を最も高めることができる。貯水部に断熱部及び保護層を設け、他の部位に断熱部を設けないとすれば、コストダウンも実現することができる。
【００３２】
また、本発明の浴槽は、少なくとも枕部に断熱部及び保護層が設けられていることが好ましい。これによって、人は温感効果を享受しながら枕部に頭を乗せることができる。枕部に断熱部及び保護層を設け、他の部位に断熱部を設けないとすれば、コストダウンも実現することができる。
【００３３】
さらに、本発明の浴槽は、少なくとも背もたれ部に断熱部及び保護層が設けられていることが好ましい。これによって、人は温感効果を享受しながら背もたれ部に背中を乗せることができる。背もたれ部に断熱部及び保護層を設け、他の部位に断熱部を設けないとすれば、コストダウンも実現することができる。
【発明を実施するための最良の形態】
【００３４】
以下、本発明を具体化した実施例を図面を参照しつつ説明する。
【実施例】
【００３５】
図１に示すように、実施例のユニットバスは、床パネル１、壁パネル２〜４、浴槽５、カウンタ６、シャワー装置７、水栓８等によって構成されている。
【００３６】
浴槽５は、ＳＭＣ製造法、ハンドレイ・スプレーアップ法等によって製造されたものである。この浴槽５は、図２に示すように、底面５ｂと、この底面から立ち上がる側壁５ｃとによって貯水部５ｆが形成されている。この浴槽５の上面には、図１に示すように、床パネル１に立った人が尻を乗せ得る移乗部５ａが形成されている。また、この浴槽５には、図２に示すように、側壁５ｃに形成され、内部に尻を着いて座った人が肘を掛け得る肘掛５ｄと、側壁５ｃに形成され、底面５ｂからやや高い位置に水平に形成されたステップ５ｅと、側壁５ｃに形成され、内部に尻を着いて座った人が頭を乗せ得る枕部５ｇと、側壁５ｃに形成され、内部に尻を着いて座った人が背中をもたれ掛け得る背もたれ部５ｈとが形成されている。
【００３７】
この浴槽５の移乗部５ａ、底面５ｂ、肘掛５ｄ、ステップ５ｅ、枕部５ｇ、背もたれ部５ｈ及び側壁５ｆの中央より下方と底面５ｂとで形成される貯水部５ｃは、図３に示すように、繊維強化プラスチック（ＦＲＰ）製の基部２１と、基部２１の表面に一体に設けられた断熱部２２と、断熱部２２の表面に一体に設けられた保護層２３とからなる。浴槽５の他の部分は、ＦＲＰ製の基部２１と、基部２１の表面に一体に設けられた保護層２３とからなる。
【００３８】
基部２１の厚みは２ｍｍ以上であり、断熱部２２の厚みは２±０．５ｍｍである。基部２１の厚みを２ｍｍ以上としたのは、断熱部２２及び保護層２３によっても強度が確保される一方、製品の強度を確保するために最低限必要だからである。また、断熱部２２の厚みを２±０．５ｍｍとしたのは、この程度の厚みまで温感効果がリニアに向上する一方、この程度を超えた厚みでは温感効果の向上が鈍化するからである。
【００３９】
断熱部２２では、不飽和ポリエステル樹脂中に中空粒子としての無数のガラスバルーン１６と強化用繊維としてのガラス繊維とが分散されている。各ガラスバルーン１６は、最小粒径５μｍ、最大粒径１００μｍ及び平均粒径４０μｍの市販のものである。各ガラスバルーン１６は、非吸水性の球状又は略球状の殻１６ａ内に密閉された中空部１６ｂをもち、中空部１６ｂ内には空気が充満されている。また、各ガラスバルーン１６はプレス成形によって破壊されない耐圧強度を有している。このため、断熱部２２は、各ガラスバルーン１６の中空部１６ｂ及び各ガラスバルーン１６間等に存在する気泡による無数の気孔１６ｂ、１６ｃを有して構成されている。
【００４０】
保護層２３はスプレーによって塗布されている。この保護層２３は、親水性アクリルウレタン塗料が硬化することにより断熱部２２及び基部２１と一体をなしている。保護層２３の厚みは６０〜７０μｍである。
【００４１】
この浴槽５は、湯を溜める表面の断熱部２２が無数の気孔１６ｂ、１６ｃを有しており、各気孔１６ｂ、１６ｃが熱の移動を阻害する。このため、この浴槽５は優れた保温効果を発揮する。
【００４２】
また、この浴槽は、人が尻等で保護層２３を介して触れる表面の断熱部２２が無数の気孔１６ｂ、１６ｃを有しており、各気孔１６ｂ、１６ｃがこの際の熱の移動も阻害する。この際、保護層２３は薄い部分の厚みが０．１５ｍｍ未満であるため、熱流束が小さく、効果的な温感効果を発揮する。このため、この浴槽５は、冬場において人が表面に触れた場合に冷たさをより感じにくく、効果的な温感効果を発揮する。特に、ガラスバルーン１６の気孔１６ｂが独立気孔であるため、この効果が大きい。
【００４３】
また、この浴槽５はそれらの際に電気やガス等のエネルギーを消費することはないため、ランニングコストも生じない。
【００４４】
特に、この浴槽５は、移乗部５ａに断熱部２２及び保護層２３が設けられているため、人は温感効果を享受しながら移乗部２２に腰掛け、内部に入ることができる。また、この浴槽５は、底面５ｂに断熱部２２及び保護層２３が設けられているため、例えば、浴槽５に湯を張らずに泡のみを充満して入浴する場合や、浴槽５内でシャワーを浴びる場合等、人は温感効果を享受しながら入ることができる。また、湯を抜いた後、人が浴槽５内に入って浴槽５を清掃する際、人は温感効果を享受することができる。さらに、保温効果も高まる。さらに、この浴槽５は、肘掛５ｄに断熱部２２及び保護層２３が設けられているため、人は温感効果を享受しながら肘掛５ｄに肘を掛けることができる。また、この浴槽５は、ステップ５ｅに断熱部２２及び保護層２３が設けられているため、人は温感効果を享受しながらステップ５ｅに足を乗せることができる。さらに、この浴槽５は、貯水部５ｆに断熱部２２及び保護層２３が設けられているため、保温効果を最も高めることができる。また、この浴槽５は、枕部５ｇに断熱部２２及び保護層２３が設けられているため、人は温感効果を享受しながら枕部５ｇに頭を乗せることができる。さらに、この浴槽５は、背もたれ部５ｈにも断熱部２２及び保護層２３が設けられているため、人は温感効果を享受しながら背もたれ部５ｈに背中を乗せることができる。そして、他の部位に断熱部２２を設けていないため、コストダウンも実現することができる。
【００４５】
また、この浴槽５は、断熱部２２が強化用繊維を含むため、強度がより高まっている。そして、プレス成形によって浴槽５を製造しても、強化用繊維によって浴槽５の表面性状は損なわれない。
【００４６】
したがって、この浴槽５は、軽量性、高強度性等の優れた特質を維持しつつ、優れた保温効果と効果的な温感効果とを享受できる。
【００４７】
また、この浴槽５は、表面に保護層２３が一体に設けられているため、保護層２３が汚れの付着を防止することができる。特に、断熱部２２の気孔１６ｃが表面に開いているとそこに汚れが蓄積するおそれがあるが、保護層２３はその気孔１６ｃが表面に開くことを防止する。また、気孔１６ｂを確保するガラスバルーン１６は使用によって割れやすいものであるが、保護層２３がその割れを防止することができる。
【００４８】
（評価試験１）
上記温感効果を以下の評価試験１により確認した。まず、表１に調合を示す基部用ＳＭＣを得る。なお、充填剤としては、炭酸カルシウムの他、水酸化アルミニウム、フリット粉末等を採用することもできる。また、表１に調合を示す断熱部用ＳＭＣを得る。
【００４９】
【表１】
2005224270.tif 000003
【００５０】
そして、以下の試験例１〜３の浴槽を製造する。試験例１の浴槽は、プレス型のキャビティに複数枚の基部用ＳＭＣのみを設け、プレス成形したものである。
【００５１】
一方、試験例２の浴槽は、プレス型のキャビティにおいて、完成品としての浴槽の表面を構成するように複数枚の断熱部用ＳＭＣを設けた後、それらの断熱部用ＳＭＣ上にさらに複数枚の基部用ＳＭＣを設け、プレス成形したものである。試験例３の浴槽は試験例２の浴槽上に保護液を塗布したものである。
【００５２】
これら試験例１〜３の浴槽の試験片を恒温槽（４０％Ｒｈ）に１２時間以上保持し、各試験片上に熱流束センサ（「VETELL CORPORATION」ＢＦ−０４（２５×２５ｍｍ））を載置する。熱流束センサはアンプ（（有）インタークロス製「intercross-200」）を介してパソコンに接続されている。パソコンにはデータ処理ソフト（（有）インタークロス製「データアクディションシステムintercross-310D」）がインストールされている。
【００５３】
一方、板状の擬似足（５０×５０×２０ｍｍ）を用意する。この擬似足は、シリコーンゴム製型取り用ＲＴＶゴム（信越化学工業（株）製信越シリコーン「ＫＥ−１２」）に硬化剤（信越化学工業（株）製「ＣＡＴ−ＲＭ」）を重量比１００：１で混合し、成形したものである。この擬似足を温度３５．０°Ｃの恒温水によって３３．０±０．３°Ｃまで暖める。
【００５４】
各試験片上の熱流束センサ上に擬似足を載置し、さらに擬似足上に４ｋｇの荷重を載置し、擬似足の温度が０．１秒毎に熱流束（Ｗ／ｍ2）を測定する。
【００５５】
常温の室内において、各試験片を５°Ｃに維持して行った結果を図４及び図５に示し、各試験片を２３°Ｃに維持して行った結果を図６及び図７に示す。
【００５６】
各試験片を５°Ｃに維持した場合、３３°Ｃの物体との間における熱流束は、図４及び図５に示される。通常の浴槽と同様の試験例１の試験片のその熱流束はピークが６５００Ｗ／ｍ2を超えている。また、これら試験例１の試験片のその熱流束の３秒間の積分値は１２０００Ｊ／ｍ2を超えている。
【００５７】
これに対し、実施例の浴槽５と同様の試験例２、３の試験片のその熱流束はピークが６５００Ｗ／ｍ2以下である。また、これら試験例２、３の試験片のその熱流束の３秒間の積分値は１２０００Ｊ／ｍ2以下である。
【００５８】
また、各試験片を２３°Ｃに維持した場合、３３°Ｃの物体との間における熱流束は、図６及び図７に示される。通常の浴槽と同様の試験例１の試験片のその熱流束はピークが３０００Ｗ／ｍ2を超えている。また、これら試験例１の試験片のその熱流束の３秒間の積分値は５０００Ｊ／ｍ2を超えている。
【００５９】
これに対し、実施例の浴槽５と同様の試験例２、３の試験片のその熱流束はピークが３０００Ｗ／ｍ2以下である。また、これら試験例２、３の試験片のその熱流束の３秒間の積分値は５０００Ｊ／ｍ2以下である。
【００６０】
したがって、試験例２、３の試験片は、試験例１の試験片よりも、熱流束が小さく、十分な温感効果を発揮していることがわかる。このため、試験例２、３の試験片と同様の浴槽は、足裏から奪われる熱が少ないこともわかる。
【００６１】
（評価試験２）
評価試験１で製造した試験例１及び試験例３の試験片を用意し、両試験片を５°Ｃに維持した後、被験者の左足を試験例３の試験片、右足を試験例１の試験片に１５秒間接する。この時の両足裏の温度分布をサーモグラフで測定した。被験者は成人である。
【００６２】
この結果、右足の試験片に接した部分は２２°Ｃ、左足のその部分は２４°Ｃであった。つまり、１５秒後には、両足裏に２°Ｃの温度差が生じた。
【００６３】
また、被験者の足裏の皮膚の低下温度の経時変化を比較した。結果を図８に示す。図８に示すように、試験例３の試験片は、試験例１の試験片よりも、足裏の皮膚温度低下が緩やかであり、時間が長い程、試験例３の試験片と試験例１の試験片とで皮膚温度に開きを生じることがわかる。そして、試験例３の試験片は、試験例１の試験片よりも、足裏から逃げる熱を約２５％低減できることがわかる。
【００６４】
（評価試験３）
評価試験１で製造した試験例１及び試験例３の試験片を用意し、両試験片を５°Ｃに維持した後、被験者の血圧変動を比較した。被験者は６５歳以上の８人の成人である。８人の平均を図９に示す。
【００６５】
図９に示すように、接した直後の血圧上昇は、試験例３の試験片では２５ｍｍＨｇであったのに対し、試験例１の試験片では３５ｍｍＨｇであり、試験例３の試験片は、試験例１の試験片に比べ、１０ｍｍＨｇ血圧上昇が低く、約３０％血圧上昇を低減できることがわかる。
【産業上の利用可能性】
【００６６】
本発明はユニットバスに利用可能である。
【図面の簡単な説明】
【００６７】
【図１】実施例のユニットバスを示す斜視図である。
【図２】実施例の浴槽の模式断面図である。
【図３】実施例の浴槽の要部拡大模式断面図である。
【図４】評価試験１において、各試験片を５°Ｃに維持して行った場合、熱流束の平均値における経時変化を示すグラフである。
【図５】評価試験１において、各試験片を５°Ｃに維持して行った場合、３秒後の積分値の平均値を示すグラフである。
【図６】評価試験１において、各試験片を２３°Ｃに維持して行った場合、熱流束の平均値における経時変化を示すグラフである。
【図７】評価試験１において、各試験片を２３°Ｃに維持して行った場合、３秒後の積分値の平均値を示すグラフである。
【図８】評価試験２において、試験例１及び試験例３の試験片を５°Ｃに維持して行った場合、足裏の皮膚の低下温度の経時変化を示すグラフである。
【図９】評価試験３において、試験例１及び試験例３の試験片を５°Ｃに維持して行った場合、血圧変動を示すグラフである。
【符号の説明】
【００６８】
２１…基部
５…浴槽
１６ｂ、１６ｃ…気孔
２２…断熱部
２３…保護層
５ａ…移乗部
５ｂ…底面
５ｄ…肘掛
５ｅ…ステップ
５ｆ…貯水部
５ｇ…枕部
５ｈ…背もたれ部
【図１】
2005224270.tif 000004
【図２】
2005224270.tif 000005
【図３】
2005224270.tif 000006
【図４】
2005224270.tif 000007
【図５】
2005224270.tif 000008
【図６】
2005224270.tif 000009
【図７】
2005224270.tif 000010
【図８】
2005224270.tif 000011
【図９】
2005224270.tif 000012